(57)【要約】【課題】電子化したデータを携帯可能な情報端末で効率的に検索し、閲覧することのできる情報管理システムを提供する。【解決手段】情報管理用のホストコンピュータと、情報閲覧用の携帯可能な情報端末とをデータ通信で接続してなる情報管理システムであって、前記ホストコンピュータは、電子化されたデータを、それぞれのデータが関連する工事現場を示す関連工事現場情報のデータをひも付けしたうえで保存し、前記情報端末は、現場で撮影される画像データに前記関連工事現場情報のデータをひも付けしたうえで保存することが可能で、前記ホストコンピュータと前記情報端末は、相互間のデータの転送やデータの同期が可能で、前記情報端末は地図を表示させ、当該地図上の工事現場の位置に目印を表示させることができ、前記目印を指定することによって、当該工事現場の前記関連工事現場情報のデータがひも付けされた電子化されたデータ、及び、前記現場画像データを検索し、表示させることができる情報管理システム。【選択図】図１
2013190969.tif 000002
【特許請求の範囲】
【請求項１】
情報管理用のホストコンピュータと、１乃至複数の携帯可能な情報端末とをデータ通信で接続してなる情報管理システムであって、
前記ホストコンピュータは、情報をデータの形で蓄積し管理するためのコンピュータであり、データを記憶するための記憶手段と、データを処理するための制御手段と、データ通信を行うための通信手段と、を備え、
前記情報端末は、現場でデータを閲覧し、利用するための端末装置であり、データを記憶するための端末側記憶手段と、データの入出力を処理するための端末側制御手段と、データ通信を行うための端末側通信手段と、データを表示するための端末側表示手段と、前記情報端末を操作するための端末側操作手段と、を備え、
前記ホストコンピュータは、工事に関連する書類を電子化した書類データと、工事現場の工事図面を電子化した現場地図データとを、それぞれのデータが関連する工事現場を示す関連工事現場情報のデータをひも付けしたうえで、前記端末側記憶手段に保存し、
前記情報端末は、現場で撮影される画像データに前記関連工事現場情報のデータをひも付けしたうえで、前記端末側記憶手段に保存することが可能で、
前記ホストコンピュータと前記情報端末は、前記通信手段と前記端末側通信手段との間のデータ通信を介して、前記記憶手段内のデータと前記端末側記憶手段との相互間のデータの転送や、データの同期が可能で、
前記情報端末は、前記端末側表示手段に地図を表示させ、当該地図上の工事現場の位置に目印を表示させることができ、
前記目印を指定することによって、前記端末側記憶手段内の、当該工事現場の前記関連工事現場情報のデータがひも付けされた前記書類データ、前記現場地図データ、及び、前記現場画像データを検索し、前記端末側表示手段に表示させることができ、
一の情報端末の表示手段に表示されているデータを、データ通信を介して他の情報端末の表示手段に表示させることができる、
ことを特徴とする情報管理システム
【請求項２】
請求項１に記載の情報管理システムを運用するためのプログラム。
【請求項３】
請求項２に記載のプログラムを記録した、コンピュータで読み取り及び実行が可能な記録媒体。
【発明の詳細な説明】
【技術分野】
【０００１】
本発明は、施工管理等に必要となる膨大な書面・図面等のデータを電子情報として保管し、現場で効率的に検索し利用できるように管理する情報管理システム、システムを運用するためのプログラム、及びプログラムを記録した記憶媒体に関する。
【背景技術】
【０００２】
蓄積されたデータの中から、建設業務に対する検査に用いるデータを抽出し、抽出されたデータを検査者に提供する情報共有システムが、例えば特許文献１に開示されている。
【０００３】
また、電子文書化した文書ファイルをやり取りするための情報共有サービスを提供する工事情報管理システムが、例えば特許文献２に開示されている。
【先行技術文献】
【特許文献】
【０００４】
【特許文献１】特開２００８−９８９１
【特許文献２】特開２００９−１５６２５
【発明の概要】
【発明が解決しようとする課題】
【０００５】
建設工事には、担当の役所への提出書類等を含む膨大な書類が存在する。そして、例えば竣工検査において、現場で関係書類の提示を求められることは珍しくないが、膨大な紙ベースの書類の中から必要な書類を捜し出すことは容易ではない。
【０００６】
特許文献１の発明には、電子化したデータから、建設業務に対する検査に用いるデータを抽出し、検査者に提出することが開示されている。しかしながら、例えば竣工検査時に、現場において前記データを検査者に提示することまでは思料されていない。
【０００７】
そこで、本発明は現場での竣工検査のプレゼンに利用できる、電子化したデータを携帯可能な情報端末で効率的に検索し、閲覧することのできる情報管理システムを提供することを目的とする。
【０００８】
また、前記情報管理システムにおいて、着工から竣工までに蓄積された、引き渡し後の維持管理に役立つ情報を保存し、管理することを目的とする。
【課題を解決するための手段】
【０００９】
上記目的を達成するために、本発明に係る情報管理システムは、情報管理用のホストコンピュータと、１乃至複数の携帯可能な情報端末とをデータ通信で接続してなる情報管理システムであって、前記ホストコンピュータは、情報をデータの形で蓄積し管理するためのコンピュータであり、データを記憶するための記憶手段と、データを処理するための制御手段と、データ通信を行うための通信手段と、を備え、前記情報端末は、現場でデータを閲覧し、利用するための端末装置であり、データを記憶するための端末側記憶手段と、データの入出力を処理するための端末側制御手段と、データ通信を行うための端末側通信手段と、データを表示するための端末側表示手段と、前記情報端末を操作するための端末側操作手段と、を備え、前記ホストコンピュータは、工事に関連する書類を電子化した書類データと、工事現場の工事図面を電子化した現場地図データとを、それぞれのデータが関連する工事現場を示す関連工事現場情報のデータをひも付けしたうえで、前記端末側記憶手段に保存し、前記情報端末は、現場で撮影される画像データに前記関連工事現場情報のデータをひも付けしたうえで、前記端末側記憶手段に保存することが可能で、前記ホストコンピュータと前記情報端末は、前記通信手段と前記端末側通信手段との間のデータ通信を介して、前記記憶手段内のデータと前記端末側記憶手段との相互間のデータの転送や、データの同期が可能で、前記情報端末は、前記端末側表示手段に地図を表示させ、当該地図上の工事現場の位置に目印を表示させることができ、前記目印を指定することによって、前記端末側記憶手段内の、当該工事現場の前記関連工事現場情報のデータがひも付けされた前記書類データ、前記現場地図データ、及び、前記現場画像データを検索し、前記端末側表示手段に表示させることができ、一の情報端末の端末側表示手段に表示されているデータを、データ通信を介して他の情報端末の端末側表示手段に表示させることができる。
【００１０】
なお、本明細書においては特に記載のない限り、「データ」は「情報」を電子化したものを示し、「情報」は「データ」の内容を示すものとする。
【発明の効果】
【００１１】
本発明の情報管理システムによれば、現場において、建設工事に関わる膨大なデータの中から必要なデータを容易に検索し利用することができる。
【図面の簡単な説明】
【００１２】
【図１】本発明の情報管理システムの全体構成を例示する図である。
【図２】ホストコンピュータへのデータの蓄積時のデータの流れを示す図である。
【図３】情報端末の工事現場でのデータ収集時のデータの流れを示す図である。
【図４】ホストコンピュータと情報端末との間のデータ転送、データ同期時のデータの流れを示す図である。
【図５】情報端末間の表示中のファイルのデータ転送時のデータの流れを示す図である。
【発明を実施するための形態】
【００１３】
以下、本発明の情報管理システムの実施例について、添付図面を参照しながら説明する。
【実施例１】
【００１４】
まず、図１に準拠して、本発明の情報管理システムの構成を記載する。
【００１５】
本発明の情報管理システムは、情報管理用のホストコンピュータと、１乃至複数の携帯可能な情報端末とをデータ通信で接続してなる。
【００１６】
前記ホストコンピュータは、情報をデータの形で蓄積し管理するためのコンピュータである。
【００１７】
また、データを記憶するための記憶手段１１と、データを処理するための制御手段１２と、データ通信を行うための通信手段１３と、を備え、前記情報端末は、現場でデータを閲覧し、利用するための端末装置であり、データを記憶するための端末側記憶手段２１と、データの入出力を処理するための端末側制御手段２２と、データ通信を行うための端末側通信手段２３と、データを表示するための端末側表示手段２４と、前記情報端末を操作するための端末側操作手段２５と、を備える。
【００１８】
前記情報端末は、主に現場でデータを閲覧し、利用するための端末装置である。
【００１９】
また、前記情報端末は、データを記憶するための端末側記憶手段２１と、データの入出力を処理するための端末側制御手段２２と、データ通信を行うための端末側通信手段２３と、データを表示するための端末側表示手段２４と、前記情報端末を操作するための端末側操作手段２５と、を備える。
【００２０】
以下に、図２〜図５に準拠して、各部のより詳細な動作を記載する。
【００２１】
最初に、ホストコンピュータへのデータの蓄積について記載する。
【００２２】
ホストコンピュータが、工事に関連する書類等を電子化した書類データと、工事現場の工事図面等の自前の地図を電子化した現場地図データと、個々の書類データと現場地図データがどの工事現場に関連するデータであるかを示す関連工事現場情報のデータと、個々の現場地図データの位置を特定するためのそれぞれの地図特定情報（例えば、現場地図データが示す範囲の四隅のうち対角する２点のそれぞれの緯度と経度等）を受取ると、ホストコンピュータの制御手段１２は、各前記書類データにそれぞれの関連工事現場情報のデータをひも付けし、各前記現場地図データにそれぞれの関連工事現場情報のデータと地図特定情報とをひも付けしたうえで、ホストコンピュータの記憶手段１１内に構成された階層化されたフォルダ構造内に、データの種類別（例えば、施工確認書、工事打合せ簿、段階確認書、工事図面等）に分類して各データを保存する。
【００２３】
前記関連工事現場情報のデータは、データの検索や選択等にも利用されるものであり、前記記憶手段１１内には前記関連工事現場情報とそれぞれの工事現場の位置情報（例えば、緯度と経度等）とを対応させるための対応テーブルが作成されているものとする。
【００２４】
次に、ホストコンピュータから情報端末へのデータの転送について記載する。
【００２５】
現場管理、安全管理、竣工検査等の必要に応じて、前記階層化されたフォルダ構造内のデータ及び前記対応テーブルのデータはホストコンピュータの通信手段１３と情報端末の端末側通信手段２３との間のデータ通信を介して、当該情報端末へ転送される。
【００２６】
好適には、前記転送されるデータは、前記関連工事現場情報等に基いて選別されたデータのみからなる。
【００２７】
当該情報端末へ転送されたデータは、当該情報端末の端末側制御手段２２によって端末側記憶手段２１内に保存される。
【００２８】
好適には、前記ホストコンピュータの記憶手段１１内に構成された階層化されたフォルダ構造と対応する当該情報端末の端末側記憶手段２１内に構成された階層化されたフォルダ構造内に、データの種類別に分類して保存される。
【００２９】
次に、情報端末でのデータ検索及び閲覧について記載する。
【００３０】
前記情報端末は、端末側制御手段２２によって端末側表示手段２４に、google map等のインターネット上の地図サービスの、或いは、地図ソフトの地図データ（以降、一般地図データと表記する）を表示することができ、なおかつ、当該一般地図データによる地図上の、各工事現場の前記位置情報に相当する位置に、例えば旗を模した記号等の目印を表示することができる。
【００３１】
なお好適には、前記一般地図データは地図上の現在位置を中心にして地図上の方位と実際の方位を一致させて表示可能で、拡大縮小が可能である。
【００３２】
さらに好適には、前記地図は、地図を所定の縮尺以上に拡大した時に前記現場地図データを表示するように自動的に切り替わる。
【００３３】
前記情報端末の端末側操作手段２５が前記端末側表示手段２４に表示された前記目印を選択すると、前記端末側制御手段２２が、前記端末側表示手段２４に、当該目印の位置に相当する位置情報に対応する前記関連工事現場情報のデータがひも付けされたデータのファイルがアイコンで一覧表示される。
【００３４】
なお、データが画像データである場合は、アイコンではなくサムネイル（縮小画像）で表示されてもよい。
【００３５】
前記情報端末の操作手段がデータのファイルのアイコン又はサムネイルを選択すると、前記端末側制御手段２２が、前記端末側表示手段２４に、当該データのファイルを表示させる。
【００３６】
次に、現場でのデータ収集及び保存について記載する。
【００３７】
前記情報端末は、現場で撮影された、例えば、危険個所の静止画、現場工事での作業前、作業後の状態の静止画、現場工事での作業の動画等の静止画或いは動画の現場画像データを取り込むことができる。
【００３８】
当該取り込まれた現場画像データは、前記端末側制御手段２２によって、前記端末側記憶手段２１内に、当該現場の関連工事現場情報のデータをひも付けされたうえで保存される。
【００３９】
なお好適には、前記現場画像データには、テキストデータ或いは音声データのコメントを添付可能である。当該コメントは当該現場画像データの表示時に常に表示されるようにしてもよいし、表示と非表示を選択できるようにしてもよい。
【００４０】
さらに好適には、前記情報端末の端末側操作装置が現場地図データ上で撮影置点を指定することによって、前記情報端末の端末側制御装置が、前記対応テーブルに当該撮影置点の対応情報を作成し、当該現場画像データに当該撮影置点に対応する関連工事現場情報のデータをひも付けする。その結果として、当該現場画像データは現場地図データ上で撮影置点に表示される前記目印を前記情報端末の端末側操作装置が指定することによって、アイコン或いはサムネイルで一覧表示され、当該アイコン或いはサムネイルを端末側操作装置が指定することによって表示及び閲覧が可能となる。
【００４１】
次に、ホストコンピュータと情報端末のデータの同期について記載する。
【００４２】
ホストコンピュータの前記記憶手段１１と情報端末の前記端末側記憶手段２１との間のデータの同期を、ホストコンピュータの前記通信手段１３と情報端末の前記端末側通信手段２３との間のデータ通信を介して行うことができる。
【００４３】
なお、同期を行うタイミングは、ホストコンピュータの前記通信手段１３をアクセスポイントとした通信可能範囲内に情報端末が稼働状態で入ったときに、ホストコンピュータの前記制御手段１２が自動的に同期を開始するようにしてもよいし、情報端末が稼働状態でホストコンピュータの前記通信手段１３の通信可能範囲内にあり、ホストコンピュータの操作手段か或いは情報端末の端末側操作手段２５がデータの同期を指定したときのみ同期を開始するようにしてもよい。
【００４４】
最後に、情報端末間のファイル転送について記載する。
【００４５】
一の情報端末２０ａの端末側表示手段２４ａに表示中のファイルのデータを、一の情報端末２０ａの端末側通信手段２３ａと他の情報端末２０ｂの端末側通信手段２３ｂとの間のデータ通信を介して転送し、他の情報端末２０ｂの端末側表示手段２４ｂに転送されたデータを表示させることが可能である。
【００４６】
上記の機能は、情報端末の操作法を知らない例えば竣工検査の検査員等の第３者に、自分が検索し情報端末に表示したデータを提示する場合に役立つ。
【００４７】
１０  ホストコンピュータ
１１  記憶手段
１２  制御手段
１３  通信手段
２０，２０ａ，２０ｂ  情報端末
２１，２１ａ，２１ｂ  端末側記憶手段
２２，２２ａ，２２ｂ  端末側制御手段
２３，２３ａ，２３ｂ  端末側通信手段
２４，２４ａ，２４ｂ  端末側表示手段
２５，２５ａ，２５ｂ  端末側操作手段
【図１】
2013190969.tif 000003
【図２】
2013190969.tif 000004
【図３】
2013190969.tif 000005
【図４】
2013190969.tif 000006
【図５】
2013190969.tif 000007